(57)【特許請求の範囲】
【請求項１】
錠剤を載置する基台と、これに対してヒンジ部により、開閉自在に連結された蓋体が閉蓋状態時に、錠剤を半錠剤に分割する錠剤分割器具において、
基台は、押上げピンを備え、
蓋体は、蓋本体と保護板との内部空間に、一方の押圧部と他方の押圧部とからなる軸支された押圧部と、離間方向に付勢する弾性部と、この弾性部の付勢力により上昇する支持部と、この支持部に備えられた切断部とからなるカッター昇降機構を備え、
このカッター昇降機構は、蓋体が閉蓋状態時に、基台の押上げピンの押圧により、一方の押圧部が押上げられるとともに、他方の押圧部が支持部の上面を押圧することにより、下降する支持部と、
蓋体が開蓋状態時に基台の押上げピンの応力が開放されると、
支持部は、弾性部により離間方向に付勢されて上昇するとともに、この支持部に備えられた切断部が、蓋本体内に位置して保護板から露出しないことを特徴とする錠剤分割器具。
【発明の詳細な説明】
【技術分野】
【０００１】  本発明は、固形医薬品である錠剤を服用量に応じて１錠の錠剤を半分に分割して使用する場合に用いられる錠剤分割器具に関する。
【背景技術】
【０００２】  従来の錠剤分割器具は、図８に示すものがある。
錠剤分割器具１００は、基台１１０と蓋体１２０とがヒンジ部１４０により開閉自在に連結され概ね構成されている。【０００３】  基台１１０は、一対の位置決め板１１１が平面視略ハの字形状に立設されている。位置決め板１１１は、その頂点部にカットライン上に位置する隙間１１１ａを有している。さらに、一対の位置決め板１１１間の空間が錠剤Ｄを載置する錠剤載置部１１２を形成している。【０００４】  一方、ヒンジ部１４０によって、開閉自在に連結された蓋体１２０の蓋本体１２１の裏面１２２には支持台１５１が一体に形成されている。さらに、支持台１５１には溝１５１ａが凹設されている。この溝１５１ａに錠剤Ｄを切断するためのカッター１６１が圧入され取付けられている。【０００５】  以上のように、構成され従来の錠剤分割器具１００は、基台１１０の錠剤載置部１１２に錠剤Ｄを位置決め板１１１に押し付けるように錠剤Ｄを載置する。載置された錠剤Ｄは、カットラインが錠剤Ｄの中心を通過する位置になるように設定されている。【０００６】  そして、錠剤Ｄを載置した後、蓋体１２０を基台１１０に蓋をするように手で押圧しながら閉めると、カッター１６１が錠剤Ｄの中心に位置する隙間１１１ａの間を通過して錠剤Ｄが切断される。このようにして錠剤Ｄは、略均等に２分割されて半錠剤ｄが得られることになる。【０００７】  また、開示した特許文献１である実公平６−４１５４６号公報（出願人：三栄源エフ・エフ・アイ株式会社）の実施例も上記した従来例と略同様の構成である。尚、市販されている錠剤分割器具も上記した実施例及び特許文献１の構成と略同様の構成、構造である。【０００８】しかしながら、特許文献１を含む、上記した従来の錠剤分割器具１００は、蓋体１２０が開蓋状態時に、図８でも分かるように錠剤Ｄを切断するカッター１６１が露出しているので、使用者が手や指などを切って怪我をする欠点がある。
【先行技術文献】
【特許文献】
【０００９】
【特許文献１】実公平６−４１５４６号公報
【発明の概要】
【発明が解決しようとする課題】
【００１０】  本発明は、以上のような従来の欠点に鑑み、錠剤分割器具の蓋体が開いた状態でも、カッターが露出することなく、且つ、握力や視力が低下している高齢者や小児などが使用に際して、手や指をカッターで誤って切ったりすることがない、安全な錠剤分割器具の提供を目的とする。
【課題を解決するための手段】
【００１１】  本発明は上記目的を達成するために、
錠剤を載置する基台と、これに対してヒンジ部により、開閉自在に連結された蓋体が閉蓋状態時に、錠剤を半錠剤に分割する錠剤分割器具において、
基台は、押上げピンを備え、
蓋体は、蓋本体と保護板との空間に一方の押圧部と他方の押圧部とからなる軸支された押圧部と、離間方向に付勢する弾性部と、この弾性部の付勢力により上昇する支持部と、この支持部に備えられた切断部とからなるカッター昇降機構を備え、
このカッター昇降機構は、蓋体が閉蓋状態時に、基台の押上げピンの押圧により、一方の押圧部が押し上げられるとともに、他方の押圧部が支持部の上面を押圧することにより、下降する支持部と、
蓋体が開蓋状態時に基台の押上げピンの応力が開放されると、
支持部は、弾性部により離間方向に付勢されて上昇するとともに、この支持部に備えられた切断部が、蓋本体内に位置して保護板から露出しないことを特徴とした。
【発明の効果】
【００１２】本発明の錠剤分割器具は、上記したように
蓋本体と保護板との空間に一方の押圧部と他方の押圧部とからなる軸支された押圧部と、離間方向に付勢する弾性部と、この弾性部の付勢力により上昇する支持部と、この支持部に備えられた切断部とからなるカッター昇降機構を備えたことにより、蓋体が開蓋状態時に基台の押上げピンの応力が開放されると、支持部は、弾性部により離間方向に付勢されて上昇するとともに、この支持部に備えられた切断部が、蓋本体内に位置して保護板から露出しない。従って、使用者が手や指などを切断部で切ったりすることがない安全の高い効果がある錠剤分割器具の提供できる。
【図面の簡単な説明】
【００１３】
【図１】本発明の実施形態を示す開蓋状態の外観斜視図。
【図２】同図１に示す一部破断した状態の分解斜視図。
【図３】同図１に示す一部破断した状態の表側から見た分解斜視図。
【図４】同図３に示すカッター昇降機構を蓋体の内部に配設した状態の一部破断した斜視図。
【図５】同図１に示す蓋体の天井部を水平に破断した状態の平面から見た断面図。
【図６】同開蓋状態のカッター昇降機構を示す蓋体の一部を破断した状態の斜視図。
【図７】同閉蓋状態のカッター昇降機構を示す蓋体の一部を破断した状態の斜視図。
【図８】従来の錠剤分割器具を示す一部破断した状態の外観斜視図。
【発明を実施するための形態】
【００１４】  以下、図１〜図５に基づいて、本発明の実施形態の錠剤分割器具１の各部材及び構成について詳細に説明する。
【００１５】  図１〜図５のいずれかに示すように本発明の実施形態の錠剤分割器具１は、錠剤Ｄを載置する基台１０と、これに対してヒンジ部１４により、開閉自在に連結された蓋体２０が閉蓋状態時に、錠剤Ｄを半錠剤ｄに分割する。
基台１０には一対の位置決め板１１が平面視略ハの字形状に立設されている。
位置決め板１１は、略ハの字形状であり、その頂点部にカットライン上に位置する隙間１１ａを形成している。
【００１６】  また、位置決め板１１の間の空間が錠剤Ｄを載置する錠剤載置部１２を形成している。基台１０には位置決め板１１の外方に押上げピン１３が備えられている。この押上げピン１３の上面は、押上げ面１３ａを成している。さらに、基台１０の外壁にはヒンジ部１４の一方を構成するヒンジ片１５が形成されている。このヒンジ片１５の両側には開閉の中心である軸１５ａが外方に凸設されている。尚、上記した基台１０は、樹脂射出成形にて一体に成形されているので、部品点数としては１点のみである。
【００１７】  一方、ヒンジ部１４によって開閉自在に連結された蓋体２０は、蓋本体２１と保護板３０とで構成される内部空間に、一方の押圧部４１ｂと他方の押圧部４１ｃと、軸４１に軸支された押圧部４０と、離間方向に付勢する弾性部７０と、この弾性部７０の付勢力により上昇する支持部５０と、この支持部５０に備えられた切断部６０とからなるカッター昇降機構Ｍを備えている。
【００１８】  詳細に説明するならば、蓋体２０には、蓋本体２１の天井部２２の裏面２２ａに支持部５０である支持台５１を昇降可能にする案内するガイドピン２３が立設されている。また、このガイドピン２３の先端は、ガイドピン２３の径より径小の圧入部２３ａが一体に形成されている。さらに、裏面２２ａには押圧部４０を配設するための一対の軸受け板２４が点対称（図５参照）に立設されている。また、この軸受け板２４には軸受け部２４ａが凹設されている。
【００１９】また、保護板３０には基台１０に形成された突上げピン１３が通過するピン通過孔３１が穿設されている。この保護板３０は、蓋体２０から容易に外れないようにカシメなどの固定手段によって固定されている。また保護板３０には一対の位置決めピン３５が対向して形成されている。この位置決めピン３５の間に蓋体２０のガイド部２５が位置する。さらに保護板３０には閉塞板３４が蓋体２０の軸受け板２４と平面視で同位置に形成されている。そして保護板３０を蓋本体２１に取付けることにより、閉塞板３４と軸受け板２４は、当接して軸受け板２４の軸受け部２４ａが形成され、アーム４１の軸４１ａが回転可能に取付けられる。
【００２０】尚、上記した保護板３０のピン通過孔３１の直径は、約８ｍｍ程度で、後述するアーム４１の他方の押圧部４１ｃがピン通過孔３１を塞ぐ様に近接している為、開蓋状態ではピン通過孔３１に隙間は殆んど無くなり、その大きさから見て小児の指でも挿入が難しく指を切るなどの心配がない。
【００２１】  次に、図２〜図４を用いてカッター昇降機構Ｍを各部材について詳細に説明する。
まず押圧部４０は、一対のアーム４１からなる。このアーム４１は、中央部の両側に軸４１ａが凸設されている。またアーム４１の両端部は、一方の押圧部４１ｂ及び他方の押圧部４１ｃがそれぞれ凸設されている。そして保護板３０を蓋本体２１に取付けることにより、閉塞板３４と軸受け板２４は、当接して軸受け板２４の軸受け部２４ａ（図６及び図７参照）が形成され、軸受け部２４ａにアーム４１の軸４１ａが回転可能に取付けられることになる。さらにアーム４１は、支持台５１に取付けられたカッター６１に対して所定の角度（本実施例の場合は、平面視で約５６°）を有して配設されている。
【００２２】  また、アーム４１が所定の角度を有して設けられていることは、本実施例の場合、外径約５０ｍｍの蓋本体２１の内部にカッター昇降機構Ｍを構成する場合、押圧部４０の押圧力を大きくしようとするとアーム４１の全長をなるべく長くした方が押圧力を大きくできる。
【００２３】  しかしながら、錠剤分割器具１をなるべくコンパクトにしたいので、アーム４１は、所定の角度を有して配設することによって、カッター６１に対して直角に取付けるよりも、アーム４１の長さを長くすることができ、従って押圧力を大きくすることが可能となる。
【００２４】次に支持部５０は、支持台５１と、この支持台５１の昇降動作をガイドするガイド端５２と、ガイドピン２３が挿通する挿通孔５３ａが穿設された鍔部５３とが平面視（図５参照）で点対称に設けられている。また支持台５１は、蓋本体２１の内部に対向して設けられたガイド部２５によって形成されたガイド溝部２５ａにガイド端５２がそれぞれ位置して、支持台５１がスムーズに昇降動作がガイドされる。またバネ７１は、一端を保護板３０に凸設されたボス部３３に嵌め込むとともに、他端を支持台５１の鍔部５３に凸設されたボス部５４に嵌め込まれ、離間方向に付勢されている。そして蓋本体２１の内部に形成されたガイドピン２３が支持台５１の挿通孔５３ａに挿通された後、ガイドピン２３の端部がボス部３３の径大部３３ａに嵌め込まれとともに、圧入部２３ａがボス部３３の径小部３３ｂに圧入されて蓋体２０と保護板３０とが固定される。
【００２５】  また、支持台５１の下方には切断部６０であるカッター６１を取付ける溝５５が凹設されている。この溝５５の長手方向の寸法は、カッター６１の巾寸法より若干小さく形成されている。従って、カッター６１を圧入して取付けると、カッター６１は、支持台５１から容易に抜けることはない。尚、カッター６１は、市販されているカッター刃を加工して製作されているので安価である。
【００２６】  上記のように構成された錠剤分割器具１のカッター昇降機構Ｍの作動について図６及び図７を用いて詳細に説明する。また、図６及び図７で図示できない箇所については、図１〜図５の何れかを参照にする。
【００２７】  まず図６に示すように錠剤分割器具１の蓋体開蓋状態（図１のような状態）で、錠剤Ｄ（図１参照）を切断する前のカッター昇降機構Ｍは、蓋体２０が開蓋状態時、離間方向に付勢する弾性部７０であるバネ７１の付勢力によって、支持台５１の鍔部５３が押上げられる。そして支持台５１の上面５１ａと当接している押圧部４０であるアーム４１の一方の押圧部４１ｂも軸４１ａを中心に、アーム４１が回動して上昇する。
【００２８】また上記したに開蓋状態では、支持台５１の下方に取付けられた切断部６０であるカッター６１の刃先は、保護板３０に穿設されたカッター通過孔３２の板厚範囲内に位置して露出しない設定となっている。
【００２９】  次に図７に示すように閉蓋状態で、錠剤Ｄ（図１参照）を切断しているカッター昇降機構Ｍは、押圧部４０であるアーム４１の他方の押圧部４１ｃが、基台１０の押上げピン１３の押上げ面１３ａと当設しながら、押上げられ上昇する。この状態でアーム４１の一方の押圧部４１ｂも軸４１ａを中心に、アーム４１が回動して下降しながら、支持台５１の上面５１ａを押圧するので支持台５１も下降することになる。従って、支持台５１の下方に取付けられたカッター６１も下降して、保護板３０に穿設されたカッター通過孔３２から１ｍｍ〜３ｍｍ程度、露出して、位置決め板１１間の錠剤載置部１２に載置された錠剤Ｄ（図１参照）が切断されて分割されることになる。
【符号の説明】
【００３０】１・・・・錠剤分割器具
１０・・・基台
１１・・・位置決め板
１１ａ・・隙間
１２・・・錠剤載置部
１３・・・押上げピン
１３ａ・・押上げ面
１４・・・ヒンジ部
１５・・・ヒンジ片
１５ａ・・軸
２０・・・蓋体
２１・・・蓋本体
２１ａ・・周壁面
２２・・・天井部
２２ａ・・裏面
２３・・・ガイドピン
２３ａ・・圧入部
２４・・・軸受け板
２４ａ・・軸受け部
２５・・・ガイド部
２５ａ・・ガイド溝部
２６・・・ヒンジ片
２６ａ・・軸孔
３０・・・保護板
３１・・・ピン通過孔
３２・・・カッター通過孔
３２ａ・・凸部
３３・・・ボス部
３３ａ・・径大部
３３ｂ・・径小部
３４・・・閉塞板
３５・・・位置決めピン
４０・・・押圧部
４１・・・アーム
４１ａ・・軸
４１ｂ・・一方の押圧部
４１ｃ・・他方の押圧部
５０・・・支持部
５１・・・支持台
５１ａ・・上面
５２・・・ガイド端
５３ａ・・挿通孔
５３・・・鍔部
５４・・・ボス部
５５・・・溝
６０・・・切断部
６１・・・カッター
７０・・・弾性部
７１・・・バネ
Ｄ・・・・錠剤
ｄ・・・・半錠剤
Ｍ・・・・カッター昇降機構
【図１】
0006606801.tif 000002
【図５】
0006606801.tif 000003
【図２】
0006606801.tif 000004
【図３】
0006606801.tif 000005
【図４】
0006606801.tif 000006
【図６】
0006606801.tif 000007
【図７】
0006606801.tif 000008
【図８】
0006606801.tif 000009